(57)【要約】【課題】異なる種別の複数のコンテンツを区別することなく、ユーザによる視聴可能性が高いコンテンツを容易に視聴選択することを可能とする１つのコンテンツガイドを、ディスプレイに表示する表示装置、レコメンドサーバ及びプログラムを提供する。【解決手段】表示装置は、第１の情報源の第１のコンテンツについて視聴可能となる複数のコンテンツの中から、当該ユーザにおける視聴可能性が高い第１のコンテンツを推薦抽出する第１のコンテンツ抽出手段と、第２の情報源の第２のコンテンツについて視聴可能となり且つ第１のコンテンツに関連する１つ以上の第２のコンテンツを推薦抽出する第２のコンテンツ抽出手段と、第１のコンテンツの視聴選択用の第１のアイコンを表示すると共に、第１のアイコンに隣接して、第２のコンテンツの視聴選択用の第２のアイコンを表示するコンテンツガイド表示手段とを有する。【選択図】図３
2011055384.tif 000002
【特許請求の範囲】
【請求項１】
再生すべきコンテンツをユーザに視聴選択させるためのコンテンツガイドを、ディスプレイに表示する表示装置において、
第１の情報源の第１のコンテンツについて視聴可能となる複数のコンテンツの中から、当該ユーザにおける視聴可能性が高い第１のコンテンツを推薦抽出する第１のコンテンツ抽出手段と、
第２の情報源の第２のコンテンツについて視聴可能となり且つ第１のコンテンツに関連する１つ以上の第２のコンテンツを推薦抽出する第２のコンテンツ抽出手段と、
第１のコンテンツの視聴選択用の第１のアイコンを表示すると共に、第１のアイコンに隣接して、第２のコンテンツの視聴選択用の第２のアイコンを表示するコンテンツガイド表示手段と
を有することを特徴とする表示装置。
【請求項２】
第１の情報源から第１のコンテンツを受信する第１のコンテンツ受信手段と、
第２の情報源から第２のコンテンツを受信する第２のコンテンツ受信手段と
を更に有することを特徴とする請求項１に記載の表示装置。
【請求項３】
第１のコンテンツ及び第２のコンテンツを一時的又は永続的に蓄積するコンテンツ蓄積手段を更に有することを特徴とする請求項１又は２に記載の表示装置。
【請求項４】
第１の情報源の第１のコンテンツは、放送時刻に依存した放送型コンテンツであり、
第２の情報源の第２のコンテンツは、放送時刻に依存しないオンデマンド型コンテンツであり、
第１のコンテンツ抽出手段は、放送波を介して現時刻で受信可能な複数のコンテンツの中から、第１のコンテンツを推薦抽出し、
第２のコンテンツ抽出手段は、ネットワークを介して接続可能なコンテンツサーバから配信される複数のコンテンツの中から、第２のコンテンツを推薦抽出する
ことを特徴とする請求項１から３のいずれか１項に記載の表示装置。
【請求項５】
第１の情報源の第１のコンテンツは、放送時刻に依存しないオンデマンド型コンテンツであり、
第２の情報源の第２のコンテンツは、放送時刻に依存した放送型コンテンツであり、
第１のコンテンツ抽出手段は、ネットワークを介して接続可能なコンテンツサーバから配信される複数のコンテンツの中から、第１のコンテンツを推薦抽出し、
第２のコンテンツ抽出手段は、放送波を介して現時刻で受信可能な複数のコンテンツの中から、第２のコンテンツを推薦抽出する
ことを特徴とする請求項１から３のいずれか１項に記載の表示装置。
【請求項６】
前記放送型コンテンツは、地上波デジタル放送、衛星デジタル放送、ケーブルテレビ放送又はＩＰ放送に基づくものであり、
視聴可能な放送型コンテンツとは、現時点で再生可能なコンテンツ又は未来の時点で再生可能なコンテンツであり、
前記オンデマンド型コンテンツは、ビデオオンデマンド又はインターネットビデオに基づくものである
ことを特徴とする請求項４又は５に記載の表示装置。
【請求項７】
第１のアイコン及び第２のアイコンは、当該コンテンツの中の１枚又は複数枚の静止画像のサムネイルであることを特徴とする請求項１から６のいずれか１項に記載の表示装置。
【請求項８】
前記表示装置は、携帯電話機であり、
第１のアイコン及び第２のアイコンに基づく複数の前記サムネイルが、ｎ行ｍ列の格子状に並べて表示されることを特徴とする請求項７に記載の表示装置。
【請求項９】
前記表示装置は、テレビ装置であり、
第１のアイコン及び第２のアイコンに基づく複数の前記サムネイルが、ｎ行ｍ列の格子状に並べて、又は、視覚的な円筒形状であってｎ行が伸長方向に且つｍ列が円周方向に並べて、表示されることを特徴とする請求項８に記載の表示装置。
【請求項１０】
請求項１から９のいずれか１項に記載の表示装置に、ネットワークを介して接続されるレコメンドサーバであって、
第１のコンテンツに対して、１つ以上の第１のキーワードを関連付けて蓄積した第１のキーワード蓄積手段と、
第２のコンテンツに対して、１つ以上の第２のキーワードを関連付けて蓄積した第２のキーワード蓄積手段と、
前記ユーザに関する嗜好キーワードを蓄積した嗜好キーワード蓄積手段と、
前記表示装置の第１のコンテンツ抽出手段へ、前記嗜好キーワードを持つコンテンツを、第１のコンテンツとして指定した第１の推薦情報を送信する第１の推薦情報送信手段と、
前記表示装置の第２のコンテンツ抽出手段へ、指定された第１のコンテンツのキーワードを持つコンテンツを、第２のコンテンツとして指定した第２の推薦情報を送信する第２の推薦情報送信手段と
を有することを特徴とするレコメンドサーバ。
【請求項１１】
前記表示装置は、当該ユーザによってコンテンツが視聴選択された視聴履歴キーワードを、前記レコメンドサーバへ送信する視聴履歴送信手段を更に有し、
前記レコメンドサーバの第１の推薦情報送信手段及び第２の推薦情報送信手段は、前記嗜好キーワードに、前記視聴履歴キーワードを更に反映することを特徴とする請求項１０に記載のレコメンドサーバ。
【請求項１２】
再生すべきコンテンツをユーザに視聴選択させるためのコンテンツガイドを、ディスプレイに表示する表示装置に搭載されるコンピュータを機能させるプログラムにおいて、
第１の情報源の第１のコンテンツと、第２の情報源の第２のコンテンツとを蓄積するコンテンツ蓄積手段と、
第１のコンテンツについて視聴可能となる複数のコンテンツの中から、当該ユーザにおける視聴可能性が高い第１のコンテンツを推薦抽出する第１のコンテンツ抽出手段と、
第２のコンテンツについて視聴可能となり且つ第１のコンテンツに関連する１つ以上の第２のコンテンツを推薦抽出する第２のコンテンツ抽出手段と、
第１のコンテンツの視聴選択用の第１のアイコンを表示すると共に、第１のアイコンに隣接して、第２のコンテンツの視聴選択用の第２のアイコンを表示するコンテンツガイド表示手段と
してコンピュータを機能させることを特徴とする表示装置用のプログラム。
【発明の詳細な説明】
【技術分野】
【０００１】
本発明は、コンテンツガイドをディスプレイに表示する表示装置、レコメンドサーバ及びプログラムに関する。コンテンツガイドは、ユーザによって所望の番組を視聴選択することができる番組表であって、例えばテレビ装置のようなディスプレイに表示される。
【背景技術】
【０００２】
デジタル放送サービスによれば、コンテンツの配信形態として、以下の２つに大別される。
（１）放送時刻に依存した放送型コンテンツ
（２）放送時刻に依存しないオンデマンド型コンテンツ
【０００３】
ユーザが、複数のコンテンツの概要を一見して理解でき、その中から１つのコンテンツを視聴選択することができるガイド的な役割の表示イメージとして、「コンテンツガイド」がある。コンテンツガイドとして、「電子番組表」又は「ＥＰＧ(Electronic Program Guide)」は、放送型コンテンツのスケジュールを表示するものであって、所望のコンテンツを視聴選択することができる。また、「オンデマンドコンテンツガイド」は、オンデマンド型コンテンツのリストを表示するものであって、所望のコンテンツを視聴選択することができる。
【０００４】
放送型コンテンツ（例えば「リニアＴＶ」と称される）によれば、ユーザは、その放送時刻を確認するために、コンテンツガイドを閲覧する。コンテンツガイドは、新聞又は雑誌に見られる放送時刻予定表（例えば「ラテ欄」と称される）の電子版である。これは、ユーザは、コンテンツガイドを閲覧することによって、所望の番組に対するチャネルを容易に視聴選択することができる（例えば特許文献１参照）。
【０００５】
放送型コンテンツ用のコンテンツガイドとして、例えば、横軸を時間に且つ縦軸をチャネル番号に構成した格子状のセルを表示する技術がある（例えば特許文献２参照）。セルの中に、番組タイトル等の内容説明が記述されている。この技術によれば、時間及びチャネル番号から特定される１つのセル（第１のサブセット）が選択された際に、そのセル内に更に複数の時間セル（第２のサブセット）を表示させる。ユーザは、それら時間セルの中から、所望コンテンツを視聴選択することができる。
【０００６】
一方で、オンデマンド型コンテンツによれば、ユーザが、コンテンツ再生装置に対して所望コンテンツのアドレスを指定することによって、コンテンツサーバから、そのコンテンツのストリーミングが配信される。実際には、コンテンツのアドレスは、オンデマンドコンテンツガイド上でユーザがコンテンツを選択した際に、システムから与えられる。コンテンツ再生装置が、ネットワークを介して、コンテンツサーバのそのアドレスへ向けてリクエストを送信することによって、コンテンツサーバは、そのコンテンツの先頭から配信する（スタートオーバ）。従って、オンデマンド型コンテンツによれば、ユーザは、所望コンテンツをオンデマンドコンテンツガイドから探し出しさえすればよく、時間及びチャネル番号を認識する必要はない。
【先行技術文献】
【特許文献】
【０００７】
【特許文献１】特開２００８−１９３４１８号公報
【特許文献２】特許第４１０８５２２号公報
【非特許文献】
【０００８】
【非特許文献１】日経トレンディネット、「テレビ向け映像配信「アクトビラ」、気になる番組の充実度・使える度」、[online]、［平成２１年８月２６日検索］、インターネット＜URL:http://trendy.nikkeibp.co.jp/article/column/20080206/1006845/?SS=expand-digital&FD=764014590＞
【発明の概要】
【発明が解決しようとする課題】
【０００９】
ユーザは、所望の放送型コンテンツを探す場合と、所望のオンデマンド型コンテンツを探す場合とでは、別々のコンテンツガイドを閲覧することを要求される。これら異なる種別のコンテンツは、その配信形態が概念的に全く異なるために、これらコンテンツを一括して、コンテンツガイドによって閲覧する技術はない。
【００１０】
放送型コンテンツのコンテンツガイドの場合、ユーザの視聴意向に関わらず、放送予定の番組及び利用可能なコンテンツは全て列挙される。ユーザは、放送時間及びチャネル番号に基づく多くの情報量の中から、所望のコンテンツを探す必要がある。
【００１１】
また、オンデマンド型コンテンツについては、利用可能なコンテンツを一覧表示するコンテンツガイドが用いられる。例えば、非特許文献１に記載された技術によれば、オンデマンド型コンテンツ向けのコンテンツガイドが実現される。この例のように、コンテンツガイドに５０個以上にも及ぶ多数のコンテンツが表示される場合、ユーザは、所望のコンテンツにたどり着くまでに長時間を要し、結局、見つけられない場合も生じる。その理由として、従来のオンデマンドコンテンツのガイドが、「出演者」「作品題名」「ジャンル」のような項目で絞り込んでいく階層型のメニューとなっていることに基づく。そのために、ユーザ自らが、少しずつ項目を絞りながら所望のコンテンツを見つけていかなくてはならない。
【００１２】
更に、放送型コンテンツとオンデマンド型コンテンツとを統合したコンテンツガイドを想定した場合、情報量が極めて膨大となり、ユーザが、一括して閲覧し、所望のコンテンツを探すことは極めて困難となる。
【００１３】
そこで、本発明は、異なる種別の複数のコンテンツを区別することなく、ユーザによる視聴可能性が高いコンテンツを容易に視聴選択することを可能とする１つのコンテンツガイドを、ディスプレイに表示する表示装置、レコメンドサーバ及びプログラムを提供することを目的とする。
【課題を解決するための手段】
【００１４】
本発明によれば、再生すべきコンテンツをユーザに視聴選択させるためのコンテンツガイドを、ディスプレイに表示する表示装置において、
第１の情報源の第１のコンテンツについて視聴可能となる複数のコンテンツの中から、当該ユーザにおける視聴可能性が高い第１のコンテンツを推薦抽出する第１のコンテンツ抽出手段と、
第２の情報源の第２のコンテンツについて視聴可能となり且つ第１のコンテンツに関連する１つ以上の第２のコンテンツを推薦抽出する第２のコンテンツ抽出手段と、
第１のコンテンツの視聴選択用の第１のアイコンを表示すると共に、第１のアイコンに隣接して、第２のコンテンツの視聴選択用の第２のアイコンを表示するコンテンツガイド表示手段と
を有することを特徴とする。
【００１５】
本発明の表示装置における他の実施形態によれば、
第１の情報源から第１のコンテンツを受信する第１のコンテンツ受信手段と、
第２の情報源から第２のコンテンツを受信する第２のコンテンツ受信手段と
を更に有することも好ましい。
【００１６】
本発明の表示装置における他の実施形態によれば、第１のコンテンツ及び第２のコンテンツを一時的又は永続的に蓄積するコンテンツ蓄積手段を更に有することも好ましい。
【００１７】
本発明の表示装置における他の実施形態によれば、
第１の情報源の第１のコンテンツは、放送時刻に依存した放送型コンテンツであり、
第２の情報源の第２のコンテンツは、放送時刻に依存しないオンデマンド型コンテンツであり、
第１のコンテンツ抽出手段は、放送波を介して現時刻で受信可能な複数のコンテンツの中から、第１のコンテンツを推薦抽出し、
第２のコンテンツ抽出手段は、ネットワークを介して接続可能なコンテンツサーバから配信される複数のコンテンツの中から、第２のコンテンツを推薦抽出するとも好ましい。
【００１８】
本発明の表示装置における他の実施形態によれば、
第１の情報源の第１のコンテンツは、放送時刻に依存しないオンデマンド型コンテンツであり、
第２の情報源の第２のコンテンツは、放送時刻に依存した放送型コンテンツであり、
第１のコンテンツ抽出手段は、ネットワークを介して接続可能なコンテンツサーバから配信される複数のコンテンツの中から、第１のコンテンツを推薦抽出し、
第２のコンテンツ抽出手段は、放送波を介して現時刻で受信可能な複数のコンテンツの中から、第２のコンテンツを推薦抽出することも好ましい。
【００１９】
本発明の表示装置における他の実施形態によれば、
放送型コンテンツは、地上波デジタル放送、衛星デジタル放送、ケーブルテレビ放送又はＩＰ放送に基づくものであり、
視聴可能な放送型コンテンツとは、現時点で再生可能なコンテンツ又は未来の時点で再生可能なコンテンツであり、
オンデマンド型コンテンツは、ビデオオンデマンド又はインターネットビデオに基づくものであることも好ましい。
【００２０】
本発明の表示装置における他の実施形態によれば、第１のアイコン及び第２のアイコンは、当該コンテンツの中の１枚又は複数枚の静止画像のサムネイルであることも好ましい。
【００２１】
本発明の表示装置における他の実施形態によれば、表示装置は、携帯電話機であり、第１のアイコン及び第２のアイコンに基づく複数のサムネイルが、ｎ行ｍ列の格子状に並べて表示されることも好ましい。
【００２２】
本発明の表示装置における他の実施形態によれば、表示装置は、テレビ装置であり、第１のアイコン及び第２のアイコンに基づく複数のサムネイルが、ｎ行ｍ列の格子状に並べて、又は、視覚的な円筒形状であってｎ行が伸長方向に且つｍ列が円周方向に並べて、表示されることも好ましい。
【００２３】
本発明によれば、前述した表示装置に、ネットワークを介して接続されるレコメンドサーバであって、
第１のコンテンツに対して、１つ以上の第１のキーワードを関連付けて蓄積した第１のキーワード蓄積手段と、
第２のコンテンツに対して、１つ以上の第２のキーワードを関連付けて蓄積した第２のキーワード蓄積手段と、
ユーザに関する嗜好キーワードを蓄積した嗜好キーワード蓄積手段と、
表示装置の第１のコンテンツ抽出手段へ、嗜好キーワードを持つコンテンツを、第１のコンテンツとして指定した第１の推薦情報を送信する第１の推薦情報送信手段と、
表示装置の第２のコンテンツ抽出手段へ、指定された第１のコンテンツのキーワードを持つコンテンツを、第２のコンテンツとして指定した第２の推薦情報を送信する第２の推薦情報送信手段と
を有することを特徴とする。
【００２４】
本発明のレコメンドサーバにおける他の実施形態によれば、
表示装置は、当該ユーザによってコンテンツが視聴選択された視聴履歴キーワードを、レコメンドサーバへ送信する視聴履歴送信手段を更に有し、
レコメンドサーバの第１の推薦情報送信手段及び第２の推薦情報送信手段は、嗜好キーワードに、視聴履歴キーワードを更に反映することも好ましい。
【００２５】
本発明によれば、再生すべきコンテンツをユーザに視聴選択させるためのコンテンツガイドを、ディスプレイに表示する表示装置に搭載されるコンピュータを機能させるプログラムにおいて、
第１の情報源の第１のコンテンツと、第２の情報源の第２のコンテンツとを蓄積するコンテンツ蓄積手段と、
第１のコンテンツについて視聴可能となる複数のコンテンツの中から、当該ユーザにおける視聴可能性が高い第１のコンテンツを推薦抽出する第１のコンテンツ抽出手段と、
第２のコンテンツについて視聴可能となり且つ第１のコンテンツに関連する１つ以上の第２のコンテンツを推薦抽出する第２のコンテンツ抽出手段と、
第１のコンテンツの視聴選択用の第１のアイコンを表示すると共に、第１のアイコンに隣接して、第２のコンテンツの視聴選択用の第２のアイコンを表示するコンテンツガイド表示手段と
してコンピュータを機能させることを特徴とする。
【発明の効果】
【００２６】
本発明の表示装置、レコメンドサーバ及びプログラムによれば、異なる種別の複数のコンテンツを区別することなく、ユーザによる視聴可能性が高いコンテンツを容易に視聴選択することを可能とする１つのコンテンツガイドを、ディスプレイに表示する。
【図面の簡単な説明】
【００２７】
【図１】本発明におけるシステム構成図である。
【図２】本発明における表示装置の第１の機能構成図である。
【図３】テレビ装置に表示された本発明のコンテンツガイドの外観図である。
【図４】携帯電話機に表示された本発明のコンテンツガイドの外観図である。
【図５】本発明における表示装置の第２の機能構成図である。
【図６】本発明におけるレコメンドサーバの機能構成図である。
【発明を実施するための形態】
【００２８】
以下、本発明の実施の形態について、図面を用いて詳細に説明する。
【００２９】
図１は、本発明におけるシステム構成図である。
【００３０】
図１によれば、テレビ装置や携帯電話機のような表示装置１は、ディスプレイ１０１を搭載している。ユーザは、そのディスプレイ１０１に表示されたコンテンツガイドを閲覧することによって、所望コンテンツを視聴選択することができる。ユーザによって視聴選択されたコンテンツは、ディスプレイ１０１に再生表示される。
【００３１】
図１によれば、表示装置１に対するコンテンツの配信元として、放送局２及びコンテンツサーバ３が表されている。放送局２は放送型コンテンツを配信し、コンテンツサーバ３はオンデマンド型コンテンツ又は放送型コンテンツを配信する。尚、以下では、コンテンツサーバ３は、オンデマンド型コンテンツを配信するものとして説明する。
【００３２】
放送型コンテンツには、地上波デジタル放送、衛星デジタル放送、ケーブルテレビ放送又はＩＰ放送に基づくものがある。ここで、視聴可能な放送型コンテンツとは、現時点で再生可能なコンテンツ又は未来の時点で再生可能なコンテンツである。即ち、未来の時点で再生可能なコンテンツであっても、予告的に、コンテンツガイドに表示することができる。また、オンデマンド型コンテンツは、ビデオオンデマンド又はインターネットビデオ（例えばＹｏｕＴｕｂｅ（登録商標））に基づくものがある。
【００３３】
表示装置１としてのテレビ装置は、放送波を受信するアンテナを有し、放送局２から放送型コンテンツを受信することができる。また、テレビ装置は、ホームネットワークに接続され、ルータを介してアクセスネットワーク及びインターネットに接続する。これによって、テレビ装置は、コンテンツサーバ３からオンデマンド型コンテンツを受信することができる。
【００３４】
同様に、表示装置１としての携帯電話機も、放送波を受信するアンテナを有し、放送局２から放送型コンテンツを受信することができる。また、携帯電話機は、基地局を介して、携帯電話網及びインターネットに接続し、コンテンツサーバ３からオンデマンド型コンテンツを受信することができる。
【００３５】
図１によれば、更に、レコメンドサーバ４がインターネットに接続されている。レコメンドサーバ４は、ユーザ毎の嗜好キーワード及び／又は視聴履歴キーワードに基づいて、視聴可能性が高い放送型コンテンツ及びオンデマンド型コンテンツを推薦抽出する。その推薦情報は、レコメンドサーバ４から、そのユーザが所持する表示装置１へ送信される。
【００３６】
図２は、本発明における表示装置の第１の機能構成図である。
【００３７】
図２によれば、表示装置１は、ディスプレイ部１０１と、ユーザ操作部１０２と、放送受信部１０３と、通信インタフェース部１０４と、コンテンツ蓄積部１１１とを有する。また、「そのコンテンツの存在が周知であって、且つ、ユーザの嗜好と一致する視聴可能性の高いコンテンツ」を第１のコンテンツとし、「そのコンテンツの存在が周知でないが、第１のコンテンツと関連性が高いコンテンツ」を第２のコンテンツとする。図２によれば、例えば、第１のコンテンツを放送型コンテンツとし、第２のコンテンツをオンデマンド型コンテンツとして説明する。勿論、第１のコンテンツ及び第２のコンテンツが共に、放送型コンテンツであってもよいし、オンデマンド型コンテンツであってもよい。第１のコンテンツ及び第２のコンテンツにおける情報源の相違は、単に、放送型／オンデマンド型のみに限定するものではない。
【００３８】
ディスプレイ部１０１は、コンテンツガイドを表示すると共に、ユーザの操作に応じてコンテンツを再生表示する。本発明によれば、ユーザに、コンテンツを視聴選択させるためのコンテンツガイドの表示構成に特徴がある。
【００３９】
ユーザ操作部１０２は、ユーザの操作を受け付ける。表示装置１が例えばテレビ装置である場合、ユーザ操作部１０２は、ユーザによって所持される遠隔操作装置（リモコン装置）から赤外線操作信号を受光するものであってもよい。また、表示装置１が例えば携帯電話機である場合、ユーザ操作部１０２は、ユーザによって押下されるテンキー又はソフトキーであってもよい。
【００４０】
放送受信部１０３は、放送局（第１の情報源）２の放送型コンテンツ（第１のコンテンツ）を受信する。放送受信部１０３は、放送波を介して現時刻で受信可能な複数のコンテンツの中から、チャネル設定に基づくコンテンツを受信する。受信された放送型コンテンツは、コンテンツ蓄積部１１１へ出力される。
【００４１】
通信インタフェース部１０４は、コンテンツサーバ（第２の情報源）３のオンデマンド型コンテンツ（第２のコンテンツ）を受信する。受信されたオンデマンド型コンテンツは、コンテンツ蓄積部１１１へ出力される。また、通信インタフェース部１０４は、レコメンドサーバ４から推薦情報を受信する。
【００４２】
コンテンツ蓄積部１１１は、放送型コンテンツ（第１のコンテンツ）とオンデマンド型コンテンツ（第２のコンテンツ）とを両方とも蓄積する。尚、コンテンツ蓄積部１１１は、放送型コンテンツや、ストリーミングのオンデマンド型コンテンツに対して、キャッシュメモリに一時的に記録するものであってもよいし、ハードディスクのような記録装置に永続的に蓄積するものであってもよい。コンテンツ蓄積部１１１が、キャッシュメモリとして機能することよって、放送波又はサーバから流れてくるデータを、ストリーミング的に受信しつつ再生することができる。
【００４３】
また、図２によれば、表示装置１は、第１のコンテンツ抽出部１１２と、第２のコンテンツ抽出部１１３と、コンテンツガイド表示部１１４と、コンテンツ再生制御部１１５と、視聴履歴送信部１１６とを有する。これら機能構成部は、表示装置に搭載されたコンピュータを機能させるプログラムを実行することによって実現される。
【００４４】
第１のコンテンツ抽出部１１２は、放送受信部１０３によって現時刻に視聴可能となる複数の放送型コンテンツの中から、当該ユーザにおける視聴可能性が高い放送型コンテンツ（第１のコンテンツ）を推薦抽出する。ここでの第１のコンテンツは、例えば「地上波放送の人気番組等のように、放送されることが事前に十分周知されていて、且つ、ユーザの嗜好と一致する視聴可能性の高いコンテンツ」である。勿論、コンテンツ蓄積部１１１に既に蓄積されているものであってもよい。
【００４５】
このとき、第１のコンテンツ抽出部１１２は、視聴可能性に応じた優先順に、複数の放送型コンテンツを抽出することも好ましい。具体的には、第１のコンテンツ抽出部１１２は、放送波を介して現時刻で受信可能な１つ以上のチャネル番号を推薦抽出する。
【００４６】
ここで、第１のコンテンツ抽出部１１２は、当該ユーザの嗜好キーワードや視聴履歴キーワードに基づいて、第１のコンテンツを抽出するものであってもよい。例えば、嗜好キーワード「料理」を持つ、複数の放送型コンテンツが推薦抽出される。また、例えば、当該ユーザの視聴履歴「毎週木曜日２０：００に、チャネル番号１の放送型コンテンツを視聴する」に基づいて、その時刻に、チャネル番号１の放送型コンテンツが推薦抽出される。
【００４７】
また、第１のコンテンツ抽出部１１２は、レコメンドサーバ４から受信した推薦情報に応じて、第１のコンテンツを抽出するものであってもよい。レコメンドサーバ４は、当該ユーザの嗜好キーワードや視聴履歴キーワードに基づいて、当該ユーザにおける視聴可能性が高い放送型コンテンツを指示する。
【００４８】
第２のコンテンツ抽出部１１３は、通信インタフェース部１０４によって視聴可能となる複数のオンデマンド型コンテンツの中から、第１のコンテンツ抽出部１１２によって抽出された放送型コンテンツ（第１のコンテンツ）に関連する１つ以上のオンデマンド型コンテンツ（第２のコンテンツ）を推薦抽出する。ここでの第２のコンテンツは、例えば「そのコンテンツの存在が周知されていないが、第１のコンテンツと関連性が高いコンテンツ」である。勿論、コンテンツ蓄積部１１１に既に蓄積されているものであってもよい。
【００４９】
第２のコンテンツ抽出部１１３は、例えば、放送型コンテンツのキーワード「レシピ」を持つ、複数のオンデマンド型コンテンツを推薦抽出する。このとき、関連性に応じた優先順に、複数のオンデマンド型コンテンツが抽出されることも好ましい。具体的には、第２のコンテンツ抽出部１１３は、コンテンツサーバ３から提供可能なコンテンツのアドレスを推薦抽出する。
【００５０】
コンテンツガイド表示部１１４は、抽出された放送型コンテンツ（第１のコンテンツ）の視聴選択用の第１のアイコンを表示すると共に、第１のアイコンに隣接して、選択されたオンデマンド型コンテンツ（第２のコンテンツ）の視聴選択用の第２のアイコンを表示する。
【００５１】
図２によれば、最初に、放送型コンテンツが推薦抽出された後、その放送型コンテンツに対する関連するオンデマンド型コンテンツが推薦抽出されている。一般的に、ユーザは、古くから新聞・雑誌の「ラテ欄」に親しんでいる。そのため、ユーザは、数チャネルしかない地上波の放送型番組の中から、所望チャネルを視聴選択する場合が多い。結局、ユーザが視聴しようとするコンテンツは、地上波の放送型コンテンツに偏りやすい。
【００５２】
逆に、オンデマンド型サービスは、ケーブルテレビ事業者や通信事業者により提供されるものに加えて、インターネット上でも多数のコンテンツが提供されている。そのため、利用可能なコンテンツ数が膨大となっているものの、ユーザによる効率的なコンテンツの視聴選択技術が提供されておらず、その普及が進んでいない。
【００５３】
そこで、図２によれば、コンテンツガイド表示部１１４によって表示されるコンテンツガイドは、ユーザが視聴選択しやすい地上波の放送型コンテンツの第１のアイコンに隣接して、オンデマンド型コンテンツの第２のアイコンを表示する。
【００５４】
視聴履歴送信部１１６は、当該ユーザによってコンテンツが視聴選択された視聴履歴キーワードを、レコメンドサーバ４へ送信する。また、視聴履歴は、第１のコンテンツ抽出部１１２及び第２のコンテンツ抽出部１１３へも送信される。
【００５５】
図３は、テレビ装置に表示された本発明のコンテンツガイドの外観図である。
【００５６】
図３によれば、放送型コンテンツの第１のアイコンが、ユーザにとって最も視聴選択しやすいようにディスプレイの中央領域に表示され、第１のアイコンに隣接して、その第１のアイコンに関連するオンデマンド型コンテンツの第２のアイコンが表示される。これによって、ユーザは、１つの放送型コンテンツに注目した場合、その放送型コンテンツに関連する他のオンデマンド型コンテンツの内容を、直感的に外観することができる。
【００５７】
図３によれば、コンテンツガイドは、視覚的な円筒形状で表されている。この円筒形状には、複数のサムネイルが、ｎ行ｍ列に配置されている。サムネイルは、ユーザによって視聴選択（クリック又は視覚的押下）可能なアイコンである。これらサムネイルは、当該コンテンツの中の１枚の静止画像である。例えば１枚の静止画像が、一定時間（例えば２秒）毎に、パラパラと更新されるものであってもよい。
【００５８】
図３によれば、複数のサムネイルは、ｎ行が伸長方向に且つｍ列が円周方向に並べて表示されている。ユーザは、その操作によってこの円筒を円周方向に回転させ、所望の位置で止めることができる。中央の行の複数のサムネイルは、大きく表示される。また、上方向又は下方向の行の複数のサムネイルは、その上下比が短く表示される。これによって、ユーザは、視覚的に円筒形状にサムネイルが貼り付けられているように認識する。
【００５９】
また、図３によれば、中央の列に表示されるサムネイルは、放送型コンテンツのサムネイルである。例えば地上波の放送型コンテンツにおける１ｃｈ〜１２ｃｈが、その中央の列に、円筒の円周方向に貼り付けられている。最初のコンテンツガイドの表示イメージは、ｎ行ｍ列の中心に、ユーザの視聴可能性が最も高いチャネルの放送型コンテンツのサムネイルが表示される。また、その行の中で、抽出された放送型コンテンツのサムネイルの左右の横に隣接して、その放送型コンテンツに関連するオンデマンド型コンテンツのサムネイルが表示される。これにより、ユーザは、視聴可能性が高い放送型コンテンツに関連するオンデマンド型コンテンツを直感的に視聴選択することができる。
【００６０】
図４は、携帯電話機に表示された本発明のコンテンツガイドの外観図である。
【００６１】
図４によれば、コンテンツガイドが、格子状に表されている。このコンテンツガイドによれば、複数のサムネイルが、ｎ行ｍ列に配置されている。サムネイルは、ユーザによって視聴選択（押下）可能なアイコンであり、当該コンテンツの中の１枚の静止画像である。
【００６２】
また、図４によれば、例えば中央の４個のサムネイルは、放送型コンテンツのサムネイルである。例えば地上波の放送型コンテンツにおけるいずれか４つのチャネルが、その中央に貼り付けられている。例えば、最初のコンテンツガイドの表示イメージは、中央４個に、ユーザの視聴可能性が高いチャネルにおける放送型コンテンツのサムネイルが表示される。また、中央に表示された放送型コンテンツのサムネイルの横に隣接して、その放送型コンテンツに関連するオンデマンド型コンテンツのサムネイルが表示される。これにより、ユーザは、視聴可能性が高い放送型コンテンツに関連するオンデマンド型コンテンツを、直感的に視聴選択することができる。
【００６３】
図３及び図４によれば、コンテンツガイドについて、フォーカスされているサムネイルが、ユーザから見て目立つように拡大表示されることも好ましい。また、そのサムネイルの周囲を、影つきにしたり、立体化することによって、更にユーザに認識しやすくすることも好ましい。
【００６４】
表示装置がテレビ装置である場合、フォーカスされているサムネイルのコンテンツの詳細情報が、別の表示領域に表示させることも好ましい。また、表示装置が携帯電話機である場合、フォーカスされているサムネイルのコンテンツの詳細情報が、ポップアップして表示されることも好ましい。
【００６５】
逆に、フォーカスされていないサムネイルの表示輝度を低下させるものであってもよい。フォーカスされているサムネイルの位置から、幾何学的距離が長くなるほど、当該サムネイルの表示輝度は、低下するように調整される。例えば、各サムネイルについて、そのおすすめ度合いが高いサムネイルほど、その輝度を高く調整することも好ましい。
【００６６】
図５は、本発明における表示装置の第２の機能構成図である。
【００６７】
図５によれば、図２と比較して、第１のコンテンツが、放送時刻に依存しないオンデマンド型コンテンツであり、第２のコンテンツが、放送時刻に依存した放送型コンテンツである。図５と図２とを比較すると、通信インタフェース部と放送受信部とが入れ替わっている。
【００６８】
図５によれば、オンデマンド型コンテンツの第１のアイコンが、ユーザにとって最も視聴選択しやすいようにディスプレイの中央領域に表示され、第１のアイコンに隣接して、その第１のアイコンに関連する放送型コンテンツの第２のアイコンが表示される。これによって、ユーザは、１つのオンデマンド型コンテンツに注目した場合、そのオンデマンド型コンテンツに関連する他の放送型コンテンツの内容を、直感的に外観することができる。
【００６９】
図６は、本発明におけるレコメンドサーバの機能構成図である。
【００７０】
図６によれば、レコメンドサーバ４は、通信インタフェース部４０１と、第１のコンテンツ検索部４１１と、第１のキーワード蓄積部４１２と、第１の推薦情報送信部４１３と、第２のコンテンツ検索部４２１と、第２のキーワード蓄積部４２２と、第２の推薦情報送信部４２３と、嗜好キーワード蓄積部４３１と、嗜好キーワード受信部４３２とを有する。通信インタフェース部以外のこれら機能構成部は、サーバに搭載されたコンピュータを機能させるプログラムを実行することによって実現される。
【００７１】
第１のコンテンツ検索部４１１は、第１の情報源から第１のコンテンツを検索し、そのキーワードを取得する。例えば、第１の情報源が放送局である場合、第１のコンテンツは放送型コンテンツである。キーワードは、例えばタイトル名、ＩＤ等である。取得されたキーワードは、第１のキーワード蓄積部４１２に蓄積される。また、第１のコンテンツ検索部４１１は、電子番組表を受信し、その電子番組表から第１のコンテンツに関するキーワードを取得することも好ましい。更に、第１のコンテンツ検索部４１１は、コンテンツに付随するメタデータを生成する専門業者等によって運営されるサーバから、第１のコンテンツに関するキーワードを取得するものであってもよい。
【００７２】
第１のキーワード蓄積部４１２は、第１のコンテンツの識別子に、１つ以上の第１のキーワードを関連付けて蓄積する。
【００７３】
第２のコンテンツ検索部４２１は、第２の情報源から第２のコンテンツを検索し、そのキーワードを取得する。例えば、第２の情報源がコンテンツサーバである場合、第２のコンテンツはオンデマンド型コンテンツである。取得されたキーワードは、第２のキーワード蓄積部４２２に蓄積される。また、第２のコンテンツ検索部４２１は、オンデマンドコンテンツガイドを受信し、そのオンデマンドコンテンツガイドから第２のコンテンツに関するキーワードを取得することも好ましい。更に、第２のコンテンツ検索部４２１は、コンテンツに付随するメタデータを生成する専門業者等によって運営されるサーバから、第２のコンテンツに関するキーワードを取得するものであってもよい。
【００７４】
第２のキーワード蓄積部４２２は、第２のコンテンツの識別子に、１つ以上の第２のキーワードを関連付けて蓄積する。
【００７５】
嗜好キーワード受信部４３２は、当該ユーザ識別子に対応する嗜好キーワードを受信する。嗜好キーワードは、嗜好キーワード蓄積部４４１へ出力される。嗜好キーワードは、当該ユーザの嗜好意志「好き」（「より好き」「非常に好き」）を反映したキーワードである。尚、嗜好キーワード受信部４３２は、表示装置１から視聴履歴キーワードを受信するものであってもよい。当該ユーザ識別子に対応する視聴履歴キーワードに対応する嗜好キーワードを、更に、嗜好キーワード蓄積部４４１へ出力する。
【００７６】
嗜好キーワード蓄積部４３１は、ユーザ識別子に対応する複数の嗜好キーワードを蓄積する。
【００７７】
第１の推薦情報送信部４１３は、嗜好キーワード蓄積部４３１における当該ユーザの嗜好キーワードを持つ、第１のキーワード蓄積部４１２の第１のコンテンツを検索する。そして、その第１のコンテンツを指定した第１の推薦情報を、表示装置１へ送信する。
【００７８】
第２の推薦情報送信部４２３は、第１の推薦情報送信部４１３から出力された第１のコンテンツのキーワードを持つ、第２のキーワード蓄積部４２２の第２のコンテンツを検索する。そして、その第２のコンテンツを指定した第２の推薦情報を、表示装置１へ送信する。
【００７９】
具体的には、最初に、レコメンドサーバ４は、現時刻に受信可能な放送型コンテンツの中から、当該ユーザにおける視聴可能性が高い第１のコンテンツを推薦抽出する。このとき、優先順に複数のコンテンツが抽出されることも好ましい。レコメンドサーバ４は、第１のコンテンツの識別子を含む第１の推薦情報を、表示装置１へ送信する。
【００８０】
次に、レコメンドサーバ４は、抽出された第１のコンテンツに関連するオンデマンド型コンテンツ（第２のコンテンツ）を推薦抽出する。このとき、優先順に複数のコンテンツが抽出されることも好ましい。レコメンドサーバ４は、第２のコンテンツの識別子を含む第２の推薦情報を、表示装置１へ送信する。
【００８１】
以上、詳細に説明したように、本発明の表示装置、レコメンドサーバ及びプログラムによれば、異なる種別の複数のコンテンツを区別することなく、ユーザによる視聴可能性が高いコンテンツを容易に視聴選択することを可能とする１つのコンテンツガイドを、ディスプレイに表示する。これにより、ユーザが自らの嗜好に沿ったコンテンツを容易に選択することができる。また、そのコンテンツに関連性が高いコンテンツを周辺に表示することによって、ユーザに、従来のコンテンツガイドでは見つけることが困難であった自らの嗜好に沿ったコンテンツを選択させることができる。
【００８２】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８３】
１  表示装置、テレビ装置、携帯電話機
１０１  ディスプレイ部
１０２  ユーザ操作部
１０３  放送受信部
１０４  通信インタフェース部
１１１  コンテンツ蓄積部
１１２  第１のコンテンツ抽出部
１１３  第２のコンテンツ抽出部
１１４  コンテンツガイド表示部
１１５  コンテンツ再生制御部
１１６  視聴履歴送信部
２  放送局
３  コンテンツサーバ
４  レコメンドサーバ
４０１  通信インタフェース部
４１１  第１のコンテンツ検索部
４１２  第１のキーワード蓄積部
４１３  第１の推薦情報送信部
４２１  第２のコンテンツ検索部
４２２  第２のキーワード蓄積部
４２３  第２の推薦情報送信部
４３１  嗜好キーワード蓄積部
４３２  嗜好キーワード受信部
【図１】
2011055384.tif 000003
【図２】
2011055384.tif 000004
【図３】
2011055384.tif 000005
【図４】
2011055384.tif 000006
【図５】
2011055384.tif 000007
【図６】
2011055384.tif 000008